(57)【要約】【課題】従来の救命用浮体膨脹装置はではガスボンベの取り付けが手の感覚によっていたので締め付け強度に個人差が生じた上、使用済と未使用のガスボンベの判別で誤りを起こす懸念があったので、これを防止する救命用浮体の膨脹装置を得ることを課題とする。【解決手段】ガスボンベ単体とガスボンベ用インジケーターとを結合してガスボンベ組立体を構成し、ガスボンベの封板を開口するカット装置にガスボンベ組立体を結合するとガスボンベの適正締め付けが色で表示されるとともに、カット装置が封板を開口するとガスボンベ用インジケーターにガスボンベが使用済であることを色で表示するように救命用浮体膨脹装置を構成する。【選択図】　　　　図６
2004058971.tif 000002
【特許請求の範囲】
【請求項１】
ソケット中心軸を囲繞して形成される周壁であって前記周壁の内周面の一方を前記ソケット中心軸方向に収斂させて前記周壁の内径よりも小径で、かつ、前記ソケット中心軸に平行する小径内周面を形成させ、前期周壁の外周面と前記小径内周面との間に中空部を設けて前記周壁と環状内壁の二重壁構造とし、前記周壁には、所定の個所に、数個の色表示窓を設け、前記色表示窓の前記ソケット中心軸側の周壁には、前記中空部から通じるガイド溝を設けて成るソケットに、プラグ中心軸を囲繞する基台の一方に前記プラグ中心軸を囲繞する位置で、前記プラグ中心軸の平行方向に伸び、かつ、可使用色と不可使用色の色分けをした色表示板が、数本起立していて前記基台の他方には前記プラグ中心軸を囲繞し、かつ、可使用色を着色した色表示環を設けて成るプラグの前記色表示板を前記中空部から前記ガイド溝に通じて前記色表示窓を前記色表示板の可使用色で満たしてガスボンベ用インジケーターを構成し、前期環状内壁にガスボンベを挿通してガスボンベ組立体を構成し、前記ガスボンベの封板を手動で又は自動で開口する動力で駆動して前記プラグを前記ソケット内を摺動させる伝動杆を内蔵し、前記ガスボンベからのガスを救命用浮体に導入するガスボンベカット装置に、前記ガスボンベを結合して構成したことを特徴とする救命用浮体膨張装置。
【発明の詳細な説明】
【０００１】
【発明の属する技術分野】
本発明は、海難時に使用される救命用浮体膨脹装置に関するものである。
【０００２】
【従来の技術】
水上での危急時に炭酸ガスのようなガスをガスボンベから注入した膨脹体を浮体とする膨脹式救命具には、いくつかの型式のものが知られているが、その中の一つに、個人が身体に装着して水に浸ると、自動でまたは手動で膨脹して浮揚する所謂膨脹型救命胴衣（以下、ＰＦＤという）がある。
【０００３】
従来のＰＦＤは、ガスボンベの封板を開口するガスボンベカット装置（以下、カット装置と云う）にガスボンベを螺合させるが、この作業は個々人の手作業によるので、締め付け強度に個人差を生じるのが避けられない。
【０００４】
締め付け強度が不足していると、径日で螺子の締まり程度が緩む懸念があるし、仮に極端に緩むとカット装置が作動したとき、撃針が十分な面積の開口をできないことがあるので、ガスボンベがカット装置に適正な強度で螺合しているかは常に注意を払わねばならない。
【０００５】
これを防止するため、トルクレンチのような締め付け具を用いれば一定の強度で螺合させ得るが、この特殊な工具を各人が用意していることは稀であり、実際には、ＰＦＤの製造工場またはサービスステーション以外では用いられることは殆どないのが現状である。
【０００６】
また、一旦、開口されたガスボンベは、当該技術知識を有する者が封板を見れば容易に判別できるが、全くの素人がこの判別を間違いなくできるかの不安もあるし、特に、ガスボンベが使用済みであるのが判っていても、これを過って再度螺合する懸念もある。
【０００７】
また、自動膨脹式ＰＦＤは、保管状況の場合によっては、極く稀には自然作動して膨脹することがあり、斯様に膨脹したＰＦＤを数日の間に気付かない場合は、浮体を構成するゴム又は熱可塑性合成樹脂は、炭酸ガスの透過率が比較的大きいので、初期の膨脹状態が、径日で自然に収縮してしまい、素人には浮体を見ただけでは気付かない程度になることもあり得る。
【０００８】
上記した諸々の過誤が発生するのを防止するため、ＰＦＤの製造者は、取り扱い説明書で縷々述べているが、所有者が間違いなく実行するかの不安を払拭しきれないのも現実である。
【０００９】
前述したような諸懸念を払拭しきれないのは、作業が各人の手の感触に頼ることと、また、装置の一部を取り外してから判別を行うこと、更に、適否の識別が微視的な視覚によってなされるからである。
「００１０」
【発明が解決しようとする課題】
本発明は、カット装置に螺合しているかいないかに拘わらず、ガスボンベが適正なものであるか否かを外観に現れている色の表示で判定できるようにし、かつ、ガスボンベとカット装置の螺合の適否を外観に現れている色の表示で確認できるようにした救命用浮体膨脹装置を得ることを課題とする。
【００１０】
【課題を解決するための手段】
前記課題を解決するため、従来ガスボンベはそれ自身の単体であったものを、本発明は、ガスボンベ組立体とし、前記ガスボンベ組立体は、ガスボンベとガスボンベ用インジケーターとから構成され、前記ガスボンベを前記ガスボンベの封板を開口し、噴出するガスを浮体に導く作用を為すカット装置に結合して救命用浮体膨脹装置を構成した。
【００１１】
前記ガスボンベ組立体は、ガスボンベとガスボンベ用インジケーターとからなり、前記ガスボンベ用インジケーターは、ソケットとプラグを嵌合させて構成した。
【００１２】
前記ソケットは、ソケット中心軸を囲繞して形成される周壁であって前記周壁の内周面の一方を前記ソケット中心軸方向に収斂させて前記周壁の内径よりも小径で、かつ、ソケット中心軸に平行する小径内周面を形成させ、前記周壁の外周面と前記小径内周面との間に中空部を設けて、前記周壁と環状内壁との二重構造とし、前記周壁には所定の個所に数個の色表示窓を設け、前記色表示窓の前記ソケット中心軸側の周壁には前記中空部から通じるガイド溝を設けて構成した
【００１３】
前記プラグは、プラグ中心軸を囲繞する基台の一方に、前記プラグ中心軸を囲繞する位置に前記プラグ中心軸の平行方向に伸び、かつ、可使用色と不可使用色とのそれぞれを着色した数本の色表示板が起立していて、前記基台の他方には、前記プラグ中心軸を囲繞し、かつ、可使用色を着色した環状内壁を突出させて構成した。
【００１４】
前記ガスボンベ用インジケーターは、前記プラグの各色表示板を前記ソケットの中空部から前記ガイド溝にそれぞれ挿通し、前記色表示窓を前記色表示板の可使用色で満たして構成した。
【００１５】
前記ガスボンベ組立体は、前記ガスボンベ用インジケーターの環状内壁内にガスボンベを挿通して抜止具を施して構成した。
【００１６】
前記救命用浮体膨脹装置は、前記ガスボンベの封板を手動又は自動で開口する動力で駆動して、前記プラグを前記ソケットを摺動させる伝動杆を内蔵し、噴出した前記ガスボンベからのガスを救命用浮体を導入するガスボンベカット装置に前記ガスボンベを結合して構成した。
【００１７】
【発明の実施の形態】
本発明の救命用浮体膨脹装置１は、図１乃至図９に示す如く、ガスボンベ組立体２及びガスボンベ３の封板４を開口し、かつ、噴出したガスを救命用浮体に導入させるガスボンベカット装置５とから構成する。
【００１８】
前記ガスボンベ組立体２は、炭酸ガスのような毒性の少ないガスが充填してあるガスボンベ３及びガスボンベ３の封板４が開口されるまでは、ガスボンベ３が使用可能であることを可使用色６で表示し続け、封板４が、一旦、開口されると前記可使用色６の表示を不可使用色７に変える作動をすると共に、ガスボンベ３とカット装置５の結合状態の適否をも色表示環３８で示す両機能を兼ね備えたガスボンベ用インジケーター８との両者で構成される。
【００１９】
カット装置５は冠水すると自動的に作動する発動装置９とその一部を構成する感水応動装置２１を収納する発動装置室１０、ガスボンベ３を結合させるボンベ取付口１１、ガスボンベ３の封板４を開口する撃針１２を収納する撃針室１３、ガスボンベ用インジケーター８の色表示を変える作用をする伝動杆１４、伝動杆１４を収納する伝動杆室１５、色表示環３８を嵌合させる色表示環嵌合溝１８、色表示環３８の一部が外部から見える本体色表示窓１９、手動作動用レバー２０を係止するシールピン４４、感水発動装置９が作動したときその動力を撃針１２に伝動するシーソー型レバー２２、及び浮体（図示しない）に取り付けられていてガスボンベカット装置５と浮体とを機械的及び通気的に結合する不還弁挿通孔２３等から主要部分が構成される。
【００２０】
ガスボンベ用インジケーター８は、図７乃至図１７に示すように、ソケット２４とプラグ１６とから構成される。
【００２１】
ソケット２４はソケット中心軸２５を囲繞して形成され周壁２６の周壁内周面２７の一端をソケット中心軸２５に収斂させて周壁２６の内径よりも小径で、かつ、前記ソケット中心軸２５に平行する小径内周面２８を形成させ、周壁２６の外周面と小径内周面２８との間には中空部３０を設けて前期ソケット中心軸２５に同心の周壁２６と環状内壁１７の二重壁構造とし、周壁２６と環状内壁１７間には傾斜壁３１が形成されてこれら両者を結合している。
【００２２】
周壁２６には、所定の個所ソケット色表示窓３２．．を設けてソケット色表示窓３２．．のソケット中心軸２５側には、周壁２６を穿って、一方は傾斜壁３１を貫通して中空部３０に達し、他方は周壁２６の大径側の端部に達するガイド３３．．が設けてある。
【００２３】
プラグ１６は、プラグ中心軸３４を囲繞し、傾斜した内周面で形成される傾斜孔３５を設けた基台３７上にプラグ中心軸３４の平行方向に前記色表示窓３２と同数で幅方向が湾曲した色表示板３６．．が起立していて、これらの色表示板３６．．の各々の同一個所には可使用色６と不可使用色７とがそれぞれ着色してある。
なお、図中のプラグ１６は、全体を、例えば緑色の可使用色６で構成し、一部に、例えば赤色の不可使用色７を着色したものを示している。
【００２４】
基台３７の小径口端からは、プラグ中心軸３４に同心上に可使用色の色表示環３８が突出している。
【００２５】
ガスボンベインジケーター８は、図１６及び図１７に示すように、プラグ１６の各色表示板３６．．をソケット２４の中空部３０．．から挿通してガイド溝３３内に嵌合させて各色表示板３６．．の可使用色．．６で各ソケット色表示窓３２．．の全域を満たすように結合して構成する。
【００２６】
ガスボンベ組立体２は、前記ガスボンベインジケーター８を構成するソケット２４の環状内壁１７の中にガスボンベ３を相通してネジ部の基部にワッシャー３９を嵌め込んでガスボンベ３とソケット２４の相対的動きを防止して構成される。
【００２７】
上記のように構成したガスボンベ組立体２は、各色表示板３６．．に突出している微少ノブ４０が、各ソケット色表示窓３２．．の中にあり、他方の微少ノブ４０は周壁内周面２７に微少の押圧が加わるように接しているのでプラグ１６は外力を加えない限りソケット２４内で動くことは抑止され、各ソケット色表示窓３２．．内は、可使用色６で満たされた状態になっている。
【００２８】
上記のガスボンベ組立体２のプラグ１６にガスボンベ３の開口方向の外力が加わるとソケット色表示窓３２．．の中に位置した微少ノブ４０．．は、窓枠から外れて周壁内周面２７を摺動し、ソケット色表示窓３２．．が不可使用色７で満たされた状態で止まるようにしてある。
【００２９】
上記のように構成したガスボンベ組立体２を、図１乃至図８に示すように、ガスボンベ３のネジをガスボンベ取付口１１に螺合して取り付けるが、ガスボンベ組立体２とガスボンベカット装置５とは、ガスボンベをねじ込むとガスボンベ３の動きと共にプラグ１６の色表示環３８は、色表示環嵌合溝１８の中に入り、本体色表示環３８の可使用色でみたされた時、ガスボンベ３は適正な締め付け強度で螺合し、両者は結合されて救命用浮体膨脹装置１を構成する。
【００３０】
上記のように組み立てられた救命用浮体膨脹装置１は、浮体に取り付けられている不還弁を、不還弁挿通孔２３に挿通してナット（図示しない）で締め付けて用いるが救命用浮体膨脹装置１が水に浸ると水は発動装置室１０内に発動装置９は、瞬時に水に応動し、圧縮バネの力はシーソー型レバー２２は撃針１２を封板４方向に摺動させてそれを開口し、噴出したガスは不還弁挿通孔２３から不還弁を通って浮体に流れ、それを膨脹させる機能をもつものである。
【００３１】
上記の救命用浮体膨脹装置１が自動又は手動で作動するとき、シーソー型レバー２２は、伝動杆１４をも撃針１２の動きと同方向に摺動させて伝動杆１４の先端は色表示環１８中にある色表示環３８を押し出して本体色表示窓１９内の可使用色を無くするとともにプラグ１６はソケット２１内を摺動してそれまで可使用色７．．であったソケット色表示窓３２の中を不可使用色で満たして静止する。
【００３２】
図１および図４中、符号４１で示すものは、ガスボンベカット装置５に手動作動レバー２０を係止させるレバー固定座であり、Ｄ型をした一対のレバー固定座４１，４１の内周側には、不可使用色の不動マーカー４２，４２がそれぞれ嵌合されてあり、この不可使用色は、後述するシールピン４４がないときは、一対のレバー固定座４１，４１の内側から見えるようにしてある。
【００３３】
手動作動用レバー２０を係止させるには、手動作動用レバー２０を相対するレバー固定座４１，４１及び同じく相対する不動マーカー４２，４２の間に入れてこれらレバー固定座４１，４１、不動マーカー４２，４２及び手動作動用レバー２０を直線状に貫通するシールピン挿通孔４３中にシールピン４４を挿通する。
【００３４】
シールピン４４は、可使用色をもち、シールピン挿通孔４３内で結合できるようにした一対の雌雄を為す鋲形のフックでなり、雌フック及び雄フックのそれぞれをシールピン挿通アナ３の両側から挿通し、内部で結合できるようにしてある。
【００３５】
一対の鋲形フックはシールピン挿通孔４３内で結合した時、鋲の頭部は、双方とも不動マーカー４２，４２の不可使用色が外部からは全く見えないようになり、手動作動用レバー２０を引くとシールピン４４の結合は、所定の荷重で開放されるとともにレバー固定座４１，４１から脱落し、跡には不動マーカー４２，４２の不可使用色が現れるようにしてある。
【００３６】
一方、上記の救命用浮体膨脹装置１が、自動で作動した場合は、カット装置５の自動作動機能の有効及び無効を確認するために設けてある自動機能確認マーカー４５が発動装置室１０から外部に露出していた状態から発動装置室１０内の奥深く進入した位置でとどまるようにし、この状態にあるものは、もはや自動作動機能が無効であることが判るようにしてある。
【００３７】
【発明の効果】
１）本発明の救命用浮体膨脹装置は、本体色表示１９を見るだけでガスボンベ３が必要強度で、ガスボンベカット装置５に取り付けられている判別出来るのでガスボンベ３の締め付け強度不足による不具合の発生が防止できる。
２）本発明の救命用浮体膨脹装置は、自動若しくは手動又は自動、手動の同時の作動に拘わらず、一旦開口したガスボンベ３はそれが一体となっているガスボンベインジケーター８が可使用色が消えて不動の不可使用色になっているので、ガスボンベ３が使用済みの事が容易に確認できるし、また、ガスボンベ３をガスボンベカット装置から取り外してもガスボンベ３とガスボンベインジケータ８は不可分構成であるので、誤ることはなくガスボンベ組立体２を新規なものと交換することにより装置の再生が出来る。
３）本発明の救命用浮体膨脹装置は、手動作動した場合は、シールピン固定座４１，４１から脱落し、不可使用色の不動マーカー４２，４２が現れるので、仮に、一旦引いた手動作動用レバー２０を元の位置に戻したとしてもこのものが手動作動で、使用されたことが判り再生作業又は点検を要するものであることがわかる。
【図面の簡単な説明】
【図１】ガスボンベカット装置の正面図である。
【図２】ガスボンベ組立体の正面図である。
【図３】手動作動用の引紐を取り外した救命用浮体膨脹装置の平面図である．
【図４】手動作動用の引紐を取り外したガスボンベカット装置の側面図である。
【図５】ガスボンベ組立体の側面図である。
【図６】救命用浮体膨脹装置の一部断面正面図である。
【図７】手動作動用レバーを取り外した図６のＡ−Ａ線断面図である。
【図８】ソケットの一部断面正面図である。
【図９】ソケットの底面図である。
【図１０】ソケットの平面図である。
【図１１】図１０に示すソケットの側面図である。
【図１２】図１０のＢ−Ｂ線断面図である。
【図１３】プラグの断面正面図である。
【図１４】プラグの底面図である。
【図１５】プラグの平面図である。
【図１６】図１５に示すプラグの側面図である。
【図１７】ガスボンベが開口していないガスボンベ組立体の一部断面部分正面図である。
【図１８】ガスボンベが開口しているガスボンベ組立体の一部断面部分正面図である。
【図１９】伝動杆の側面図である。
【図２０】伝動杆の平面図である。
【図２１】伝動杆の正面図である。
【符号の説明】
１　　救命用浮体膨脹装置
２　　ガスボンベ組立体
３　　ガスボンベ
４　　封板
５　　ガスボンベカット装置
６　　可使用色
７　　不可使用色
８　　ガスボンベ用インジケーター
９　　発動装置
１０　発動装置室
１１　ガスボンベ取付口
１２　撃針
１３　撃針室
１４　伝動杆
１５　伝動杆室
１６　プラグ
１７　環状内壁
１８　色表示環嵌合溝
１９　本体色表示窓
２０　手動作動用レバー
２１　感水応動装置
２２　シーソー型レバー
２３　不還弁挿通孔
２４　ソケット
２５　ソケット中心軸
２６　周壁
２７　周壁内周面
２８　小径内周面
２９　周壁の外周面
３０　中空部
３１　傾斜壁
３２　ソケット色表示窓
３３　ガイド溝
３４　プラグ中心軸
３５　傾斜孔
３６　色表示板
３７　基台
３８　色表示環
３９　ワッシャー
４０　微少ノブ
４１　レバー固定座
４２　不動マーカー
４３　シールピン挿通孔
４４　シールピン
４５　自動機能確認マーカー
【図１】
2004058971.tif 000003
【図２】
2004058971.tif 000004
【図３】
2004058971.tif 000005
【図４】
2004058971.tif 000006
【図５】
2004058971.tif 000007
【図６】
2004058971.tif 000008
【図７】
2004058971.tif 000009
【図８】
2004058971.tif 000010
【図９】
2004058971.tif 000011
【図１０】
2004058971.tif 000012
【図１１】
2004058971.tif 000013
【図１２】
2004058971.tif 000014
【図１３】
2004058971.tif 000015
【図１４】
2004058971.tif 000016
【図１５】
2004058971.tif 000017
【図１６】
2004058971.tif 000018
【図１７】
2004058971.tif 000019
【図１８】
2004058971.tif 000020
【図１９】
2004058971.tif 000021
【図２０】
2004058971.tif 000022
【図２１】
2004058971.tif 000023